(57)【要約】【課題】接顔布（または接顔部材）を用いずに、着用者の顔面（口の周辺を含む鼻の上下方向における中間部よりも下側の部分）にマスク本体を密着させて覆うことのできるマスクを提供する。【解決手段】複数枚の不織布を加圧加熱成型することにより、板状の本体外周縁部２３の内側に、着用者の顔面から離れる方向へ膨出した本体外周縁部２３よりも肉厚で柔らかなフィルタ部２５を一体成形したマスク本体２１を備えたマスク１１において、本体外周縁部２３に接するフィルタ部２５の外周縁部２５ｏを、本体外周縁部２３よりも着用者側へ突出させ、フィルタ部２５の外周縁部２５ｏの肉厚を、フィルタ部２５の外周縁部２５ｏよりも内側のフィルタ部２５（内側部２５ｉ）の肉厚に対して厚くした。【選択図】図１
2012161475.tif 000002
【特許請求の範囲】
【請求項１】
複数枚の不織布を加圧加熱成型することにより、板状の本体外周縁部の内側に、着用者の顔面から離れる方向へ膨出した前記本体外周縁部よりも肉厚で柔らかなフィルタ部を一体成型したマスク本体を備えたマスクにおいて、
前記本体外周縁部に接する前記フィルタ部の外周縁部を、前記本体外周縁部よりも着用者側へ突出させた、
ことを特徴とするマスク。
【請求項２】
請求項１に記載のマスクにおいて、
前記フィルタ部の外周縁部の肉厚を、前記フィルタ部の外周縁部よりも内側の前記フィルタ部の肉厚に対して厚くした、
ことを特徴とするマスク。
【請求項３】
請求項１または請求項２に記載のマスクにおいて、
前記着用者の鼻の上下方向における中間部の左右に対応する前記フィルタ部の外周縁部における鼻脇対応外周縁部位を、前記着用者の鼻の中間部から鼻の左右の肌に接触するように、前記着用者側へ膨出させた、
ことを特徴とするマスク。
【請求項４】
請求項１から請求項３のいずれか１項に記載のマスクにおいて、
前記フィルタ部は、肉厚方向の前記着用者から離れた外側が前記着用者に近い内側よりも硬い、
ことを特徴とするマスク。
【発明の詳細な説明】
【技術分野】
【０００１】
この発明は、塵埃の多い場所、例えば、工事現場などで作業中に、塵埃を吸い込むのを防止する防塵マスクなどのマスクに関するものである。
【背景技術】
【０００２】
上記した従来のマスクの一例として、着用者の顔面（口の周辺を含む鼻の上下方向における中間部よりも下側の部分）にマスク本体を密着させて覆えるように、マスク本体の着用者側に接顔布（または接顔部材）を取り付けた（設けた）ものが提案されている（例えば、特許文献１、特許文献２または特許文献３参照。）。
【先行技術文献】
【特許文献】
【０００３】
【特許文献１】実開昭６４−２６０４９号公報
【特許文献２】特表２０００−５０７４６１号公報
【特許文献３】特開２００８−４９１９４号公報
【発明の概要】
【発明が解決しようとする課題】
【０００４】
上記した従来のマスクは、マスク本体を顔面に密着させるための接顔布（または接顔部材）を備えているので、部品点数が多くなるとともに、製造コストが増加する。
【０００５】
この発明は、上記した不都合を解消するためになされたもので、接顔布（または接顔部材）を用いずに、着用者の顔面（口の周辺を含む鼻の上下方向における中間部よりも下側の部分）にマスク本体を密着させて覆うことのできるマスクを提供するものである。
【課題を解決するための手段】
【０００６】
（１）この発明は、複数枚の不織布を加圧加熱成型することにより、板状の本体外周縁部の内側に、着用者の顔面から離れる方向へ膨出した前記本体外周縁部よりも肉厚で柔らかなフィルタ部を一体成型したマスク本体を備えたマスクにおいて、前記本体外周縁部に接する前記フィルタ部の外周縁部を、前記本体外周縁部よりも着用者側へ突出させたことを特徴とする。
【０００７】
（２）この発明は、（１）に記載のマスクにおいて、前記フィルタ部の外周縁部の肉厚を、前記フィルタ部の外周縁部よりも内側の前記フィルタ部の肉厚に対して厚くしたことを特徴とする。
【０００８】
（３）この発明は、（１）または（２）に記載のマスクにおいて、前記着用者の鼻の上下方向における中間部の左右に対応する前記フィルタ部の外周縁部における鼻脇対応外周縁部位を、前記着用者の鼻の中間部から鼻の左右の肌に接触するように、前記着用者側へ膨出させたことを特徴とする。
【０００９】
（４）この発明は、（１）から（３）のいずれか１つに記載のマスクにおいて、前記フィルタ部は、肉厚方向の前記着用者から離れた外側が前記着用者に近い内側よりも硬いことを特徴とする。
【発明の効果】
【００１０】
この発明のマスクによれば、本体外周縁部に接するフィルタ部の外周縁部を、本体外周縁部よりも着用者側へ突出させたので、フィルタ部の外周縁部が接顔布（または接顔部材）として機能し、着用者の顔面（口の周辺を含む鼻の上下方向における中間部よりも下側の部分）にマスク本体を密着させて覆うことができる。
【００１１】
したがって、マスクの部品点数を少なくすることができるとともに、マスクの製造コストを減少させることができる。
【図面の簡単な説明】
【００１２】
【図１】この発明の、マスクの一実施例を示す裏面図（背面図）である。
【図２】この発明の（図１示した）、マスクの一実施例を示す裏面側斜視図である。
【図３】図１のＡ−Ａ線による断面図である。
【図４】図１のＢ−Ｂ線による部分断面図である。
【図５】図１のＣ−Ｃ線による部分断面図である。
【図６】図１のＤ−Ｄ線による部分断面図である。
【図７】図１のＥ−Ｅ線による部分断面図である。
【図８】図１のＦ−Ｆ線による部分断面図である。
【図９】図１のＧ−Ｇ線による部分断面図である。
【図１０】図１および図２に示したマスク本体を成型する金型の要部を示す説明図である。
【発明を実施するための形態】
【００１３】
図１はこの発明の、マスクの一実施例を示す裏面図（背面図）、図２はこの発明の（図１示した）、マスクの一実施例を示す裏面側斜視図、図３は図１のＡ−Ａ線による断面図、図４は図１のＢ−Ｂ線による部分断面図、図５は図１のＣ−Ｃ線による部分断面図、図６は図１のＤ−Ｄ線による部分断面図、図７は図１のＥ−Ｅ線による部分断面図、図８は図１のＦ−Ｆ線による部分断面図、図９は図１のＧ−Ｇ線による部分断面図である。
【００１４】
なお、以下の説明における前後、左右、上下は、着用者からみての前後、左右、上下である。
【００１５】
そして、図３〜図９に付記されている厚さなどの単位は、ｍｍである。
【００１６】
図１または図２に示すように、この発明の一実施例のマスク１１は、立体形状型のマスク本体２１と、このマスク本体２１の左右端部に取り付けられた上、下側掛け紐３１Ｕ，３１Ｄとで構成されている。
【００１７】
上記したマスク本体２１は、複数枚、例えば、５枚の不織布を加圧加熱成型することにより、周回した板状の本体外周縁部２３と、この本体外周縁部２３の内側に、着用者の顔面から離れる方向へ膨出（突出）した本体外周縁部２３よりも肉厚で柔らかなフィルタ部２５とが一体成型されている。
【００１８】
このマスク本体１１を成型する５枚の不織布は、着用者に対して外側から内側へ順に、着用者から離れた表面（外表面）の毛羽立ちをなくすとともに、手触りをよくするためのポリプロピレン不織布（第１不織布）、マスクの形を型成して強度を持たせる（付与する）ためのポリエチレンテレフタレート不織布（第２不織布）、フィルタとして機能するポリプロピレン不織布（第３不織布）、マスクの形を型成して強度を持たせる（付与する）ためのポリエチレンテレフタレート不織布（第４不織布）、着用者の顔面への肌触りをよくするためのポリエチレンテレフタレート不織布（第５不織布）とされている。
【００１９】
そして、各不織布は、所期の目的を達成するため、例えば、第１不織布の目付け（１ｍ２当たりの質量（重量））よりも第３不織布の目付けの方が大きく、第３不織布の目付けよりも第５不織布の目付けの方が大きく、第５不織布の目付けよりも第２不織布および第４不織布の目付けの方が大きくされている。
【００２０】
上記した本体外周縁部２３は、着用者の顔面（口の周辺を含む鼻の上下方向における中間部よりも下側の部分）を覆うような立体形状とされ、着用者の鼻に対応する部分に、着用者から離れる山形の切り欠き（凹部）２３ｎが設けられている。
【００２１】
そして、本体外周縁部２３の左右端は、上下方向に幅広とされている。
【００２２】
この幅広の本体外周縁部２３の左右端の上側部分に上側掛け紐３１Ｕの左右端部が溶着されるとともに、幅広の本体外周縁部２３の左右端の下側部分に下側掛け紐３１Ｄの左右端部が溶着されている。
【００２３】
上記したフィルタ部２５は、本体外周縁部２３に周回して接する外周縁部２５ｏと、この外周縁部２５ｏよりも内側の内側部２５ｉとで構成されるとともに、着用者側の内面に、フィルタ部２５を補強する、着用者から離れる方向（前側）へ突出する複数の縦溝２５ｄが左右方向に平行に設けられている。
【００２４】
そして、外周縁部２５ｏは、本体外周縁部２３よりも着用者側へ突出している（より詳しくは、外周縁部２５ｏは、例えば、図３〜図９に示すように、本体外周縁部２３が形成する着用者側の面よりも着用者側へ突出しいる。）。
【００２５】
この外周縁部２５ｏは、図３または図６に示すように、１３ｍｍから３１ｍｍの幅（着用者の前後方向の長さ）で周回し、図３〜図９に示すように、内側部２５ｉに対して（よりも）０．１ｍｍ〜３．２ｍｍ、好ましくは、０．５ｍｍ〜３．０ｍｍ厚く（肉厚と）されている。
【００２６】
そして、着用者の鼻の上下方向における中間部の左右に対応する外周縁部２５ｏにおける左、右側鼻脇対応外周縁部位２５ｎｌ，２５ｎｒは、着用者の鼻の中間部から鼻の左右の肌に接触するように、着用者側へ、図９に示す厚さよりも図３〜図８に示す厚さのように膨出している。
【００２７】
そして、フィルタ部２５は、肉厚方向の着用者から離れた外側が着用者に近い内側よりも硬く成型されている。
【００２８】
上記した上、下側掛け紐３１Ｕ，３１Ｄは、例えば、ポリウレタンとポリエステルとによって延び縮み可能に構成され、左右の端部が本体外周縁部２３の左右端に溶着されている。
【００２９】
図１０は図１および図２に示したマスク本体を成型する金型の要部を示す説明図であり、図１における上下方向の中央部分を左右方向に対応する断面図である。
【００３０】
なお、実線で示す部分が従来のマスク本体を成型する金型に対応し、二点鎖線で示した部分が、この発明のマスク本体を成型するために、金型に加えた加工部分である。
【００３１】
図１０において、Ｄは下金型（雄金型）、Ｕは上金型（雌金型）を示す。
【００３２】
上記した下金型Ｄには、中央部にマスク本体の凹部（膨出部）を成型するための突出部ｏが設けられ、この突出部ｏの上面にマスク本体の縦溝を成型するための突条ｐが複数平行に設けられている。
【００３３】
そして、下金型Ｄの突出部ｏの外側部分には、フィルタ部の外周縁部を着用者側へ突出（膨出）させるために、周回する外周縁部成型溝ｄが設けられている。
【００３４】
上記した上金型Ｕには、下金型Ｄとの間に所定の間隔の成型空間Ｓを形成する凹部ｃが設けられている。
【００３５】
次に、マスク本体２１の成型の一例について説明する。
【００３６】
まず、下金型Ｄを、例えば、１１０℃に加熱し、上金型Ｕを、例えば、１２０℃に加熱する。
【００３７】
この状態で、前述した５枚の不織布を積層したものを、第１不織布を上側、第５不織布を下側して、下金型Ｄと上金型Ｕとの間に挿入し、上金型Ｕを下降させて下金型Ｄの上に重ね、５枚の不織布を上、下金型Ｕ，Ｄで、例えば、５秒間挟んだ後、上金型Ｕを上昇させて下金型Ｄの上から成型されたマスク本体を不織布とともに取り出す。
【００３８】
そして、マスク本体を不織布から切断して切り離す。
【００３９】
このように、上金型Ｕの温度を下金型Ｄの温度よりも高くして成型すると、第１および第２不織布側の熱収縮が第５不織布側の熱収縮よりも大きくなり、第５不織布側の熱収縮が第１および第２不織布側の熱収縮よりも小さくなることにより、マスク本体の本体外周縁部に接するフィルタ部の外周縁部が、本体外周縁部よりも着用者側へ突出し、フィルタ部の外周縁部の肉厚が、フィルタ部の外周縁部よりも内側の内側部の肉厚に対して厚くなり、フィルタ部は、肉厚方向の着用者から離れた外側が着用者に近い内側よりも硬くなり、この発明の所期したマスク本体を得ることができる。
【００４０】
なお、着用者の鼻の上下方向における中間部の左右に対応するフィルタ部の外周縁部における左、右側鼻脇対応外周縁部位を、着用者の鼻の中間部から鼻の左右の肌に接触するように、着用者側へ膨出させる場合は、下金型Ｄの左側鼻脇対応外周縁部位に左側鼻脇対応外周縁部位成型溝を設けるとともに、下金型Ｄの右側鼻脇対応外周縁部位に右側鼻脇対応外周縁部位成型溝を設けることにより、この発明の所期した他のマスク本体を得ることができる。
【００４１】
この発明の一実施例のマスクと、従来のカップ型マスク（接顔布なし）と、従来のカップ型マスク（接顔布付き）との顔面への密着性（漏れ率）の測定を、以下の方法で測定した。
【００４２】
なお、カップ型マスクとは、本体外周縁部を水平面においたときに本体外周縁部と水平面との間に隙間がないフラットな形状の本体外周縁部を有するものであり、接顔布は外周縁部をマスク本体の本体外周縁部に沿って溶着などによって取り付けられるドーナツ形状の幅を持った部材である。
【００４３】
各マスクを顔面に装着し、顔面へのマスク本体の密着性（漏れ率）を柴田科学株式会社製の労研式マスクフィッティングテスターで測定した。
【００４４】
このマスク本体の密着性（漏れ率）の測定は、顔面とマスク本体との隙間から入り込んだ室内粉塵粒子個数を測定し、マスク本体の外側の粒子個数でマスク本体内に入り込んだ粒子個数を割って漏れ率とする。
【００４５】
上記したマスク本体の密着性（漏れ率）の１５人の測定結果平均は、この発明の一実施例のマスクが３．２％で、従来のカップ型マスク（接顔布なし）が１４．７％で、従来のカップ型マスク（接顔布付き）が９．１％であった。
【００４６】
このように、この発明の一実施例のマスクは、マスク本体の密着性（漏れ率）に優れていることが判る。
【００４７】
上記したように、この発明の一実施例によれば、本体外周縁部２３に接するフィルタ部２５の外周縁部２５ｏを、本体外周縁部２３よりも着用者側へ突出させたので、フィルタ部２５の外周縁部２５ｏが接顔布（または接顔部材）として機能し、着用者の顔面（口の周辺を含む鼻の上下方向における中間部よりも下側の部分）にマスク本体２１を密着させて覆うことができる。
【００４８】
したがって、マスク１１の部品点数を少なくすることができるとともに、マスク１１の製造コストを減少させることができる。
【００４９】
また、フィルタ部２５の外周縁部２５ｏの肉厚を、フィルタ部２５の外周縁部２５ｏよりも内側のフィルタ部２５（内側部２５ｉ）の肉厚に対して厚くしたので、マスク１１を装着したときのマスク本体２１（フィルタ部２５）の肌触りを一層よくすることができる。
【００５０】
また、着用者の鼻の上下方向における中間部の左右に対応するフィルタ部２５の外周縁部２５ｏにおける左、右側鼻脇対応外周縁部位２５ｎｌ、２５ｎｒを、着用者の鼻の中間部から鼻の左右の肌に接触するように、着用者側へ膨出させたので、ノーズクリップを使用することなく、着用者の鼻の中間部左右からの漏れ率を改善することができるとともに、装着感を向上させることができる。
【００５１】
また、フィルタ部２５の肉厚方向の着用者から離れた外側が着用者に近い内側よりも硬いので、マスク本体２１の形を崩すことなく、マスク本体２１（フィルタ部２５）の肌触りをよくすることができる。
【００５２】
上記した実施例において、加圧加熱成型する不織布の枚数を５枚として説明したが、少なくとも、マスクの形を成型する第２不織布と、フィルタとして機能する第３不織布とでマスク本体を成型したり、または、マスクの形を成型する第２不織布と、フィルタとして機能する第３不織布と、マスクの形を成型する第４不織布とでマスク本体を成型してもよい。
【００５３】
また、マスク本体に、吸気と排気とを制御する弁を設けたマスクであってもよい。
【００５４】
また、本体外周縁部の左右端の上側部分に上側掛け紐の左右端部を溶着し、本体外周縁部の左右端の下側部分に下側掛け紐の左右端部を溶着したオーバーヘッド型（タイプ）マスクとして説明したが、本体外周縁部の一端（例えば、左端）側の上側部分に掛け紐（例えば、左側掛け紐）の一端部（例えば、上端部）を溶着し、本体外周縁部の一端側（左端）の下側部分に掛け紐（左側掛け紐）の他端部（下端部）が溶着され、本体外周縁部の他端（右端）側にも同様に掛け紐（右側掛け紐）を溶着した耳掛け型（タイプ）マスクであってもよい。
【００５５】
また、マスクを立体形状型として説明したが、カップ型などのマスクにも適用することができる。
【符号の説明】
【００５６】
１１      マスク
２１      マスク本体
２３      本体外周縁部
２３ｎ    切り欠き
２５      フィルタ部
２５ｏ    外周縁部
２５ｎｌ  左側鼻脇対応外周縁部位
２５ｎｒ  右側鼻脇対応外周縁部位
２５ｉ    内側部
２５ｄ    縦溝
３１Ｕ    上側掛け紐
３１Ｄ    下側掛け紐
【図１】
2012161475.tif 000003
【図２】
2012161475.tif 000004
【図３】
2012161475.tif 000005
【図４】
2012161475.tif 000006
【図５】
2012161475.tif 000007
【図６】
2012161475.tif 000008
【図７】
2012161475.tif 000009
【図８】
2012161475.tif 000010
【図９】
2012161475.tif 000011
【図１０】
2012161475.tif 000012